(57)【要約】【課題】オフフックした直後に極く短時間にて、エコーキャンセル学習を完了させるＩＰ電話機を得る。【解決手段】ＩＰ電話機は、オフフック後（Ｓ１）一定時間ＤＴＭＦ／トーン音を鳴動させる（Ｓ３）。この時、音声経路切り替えスイッチの制御も行い（Ｓ２）、音がハンドセットから外部へ漏れることを防ぐ。エコーキャンセル学習が終了すると（Ｓ４がＹＥＳ）、再度音声切り替えスイッチ制御を行い（Ｓ５）、ＤＴＭＦ／トーン音源部と音声経路との接続を切断し、ハンドセットと音声経路との接続を復元させる（Ｓ６）。【選択図】　　　図
2004032457.tif 000002
【特許請求の範囲】
【請求項１】
通信回線にて発生するエコーをキャンセルするエコーキャンセル手段を有する電話機であって、呼発生時に内部のトーン信号を基に前記エコーキャンセルのための学習制御を行う手段を含むことを特徴とする電話機。
【請求項２】
前記トーン信号が、プッシュホンのダイアルトーンであることを特徴とする請求項１記載の電話機。
【請求項３】
前記エコーキャンセルのための学習の期間、ハンドセットへの前記トーン信号の漏洩を断とする手段を、更に含むことを特徴とする請求項１あるいは２記載の電話機。
【請求項４】
通信回線にて発生するエコーをキャンセルするエコーキャンセル手段を有する電話機の動作制御方法であって、呼発生時に内部のトーン信号を基に前記エコーキャンセルのための学習制御を行うステップを含むことを特徴とする動作制御方法。
【請求項５】
前記トーン信号として、プッシュホンのダイアルトーンを使用するようにしたことを特徴とする請求項４記載の動作制御方法。
【請求項６】
前記エコーキャンセルのための学習の期間、ハンドセットへの前記トーン信号の漏洩を断とするステップを、更に含むことを特徴とする請求項４あるいは５記載の動作制御方法。
【発明の詳細な説明】
【０００１】
【発明の属する技術分野】
本発明は電話機及びその動作制御方法に関し、特にエコーキャンセル学習機能を有するＩＰ（Ｉｎｔｅｒｎｅｔ　Ｐｒｏｔｏｃｏｌ　）電話機及びその動作制御方法に関するものである。
【０００２】
【従来の技術】
ネットワーク（インタネット、ＬＡＮ；ローカルエリアネットワーク等）に接続されて使用されるＩＰ電話機が増大している。特開平１１−８６９６号公報には、ネットワーク接続システムにおいて、２線４線式ハイブリッド構成の加入者回線で生じやすい音声信号の回り込み（エコー）を、除去する方法が記載されている。また、特開平７−３０３０６９号公報には、移動電話及び固定電話に接続される通信回線に生じるエコーをキャンセルする際、トレーニング信号及びトレーニング信号のエコーを用いて学習する方法が記載されている。
【０００３】
すなわち、移動電話及び固定電話に接続される通信回線に生じるエコーを、キャンセルするエコーキャンセラにおいて、エコーキャンセル能力を高める学習を行うエコーキャンセラ学習方法が提案されている。
【０００４】
この方法においては、固定電話から発呼された場合は、固定電話に対して送信されるリングバックトーン、及びリングバックトーンのエコーを用いて学習を行う。また、移動電話から発呼された呼が設定された場合は、交換機から固定電話機に対して送信されるトレーニング信号及びトレーニング信号のエコーを用いて学習を行う。
【０００５】
【発明が解決しようとする課題】
パーソナルコンピュータ装置やルータ等の通信機器が、接続されたＬＡＮ（ローカルエリアネットワーク）伝送路に、ＩＰ−ＰＢＸ（構内電話交換機）とＩＰ電話機とを接続した場合、ＬＡＮ伝送路のトラフィック状態によって伝送遅延が発生する。この現象は、ネットワークに接続されるＩＰ電話機に発生する特有の現象であって、その影響によってＩＰ電話機は、従来のハンズフリー通話だけでなく、ハンドセットを使用した通話においても、通話音声品質が劣化する問題がある。
【０００６】
この通話音声品質の劣化は、まず通話相手へのエコーが顕著に現れることである。また、通話音声に揺らぎが発生することである。さらに、通話音声レベルの調整に失敗し、通話開始時における通話音声レベルが安定しなくなることである。さらにはまた、特開平７−３０３０６９号公報記載の技術においては、エコーキャンセルを学習する際に、リングバックトーンやトレーニング信号等、交換機を介した音源を使用している問題がある。
【０００７】
本発明の目的は、ＩＰ電話機の内部音源を使用し、発呼、着呼の両方の場合において、ＩＰ電話機のハンドセットをオフフックした直後に極く短時間にて、エコーキャンセル学習を完了させる電話機及びその動作制御方法を提供することである。
【０００８】
【課題を解決するための手段】
本発明によれば、通信回線にて発生するエコーをキャンセルするエコーキャンセル手段を有する電話機であって、呼発生時に内部のトーン信号を基に前記エコーキャンセルのための学習制御を行う手段を含むことを特徴とする電話機が得られる。
【０００９】
また、本発明によれば、通信回線にて発生するエコーをキャンセルするエコーキャンセル手段を有する電話機の動作制御方法であって、呼発生時に内部のトーン信号を基に前記エコーキャンセルのための学習制御を行うステップを含むことを特徴とする動作制御方法が得られる。
【００１０】
本発明の作用を述べる。ハンドセットによる通話状態が検出されると、電話機の内部音源であるＤＴＭＦ（Ｄｕａｌ　Ｔｏｎｅ　Ｍｕｌｔｉ−Ｆｒｅｑｕｅｎｃｙ　、プッシュホンダイアルに使用される音）／トーン音源部を使用して、一定時間ＤＴＭＦ／トーン音を鳴動させる。この時、ＤＴＭＦ／トーン音がハンドセットへ漏洩することを防止するためのスイッチを断とする。エコーキャンセラは、ＤＴＭＦ／トーン音によりエコーキャンセル学習を行い、最適な通話が可能となるエコーキャンセラを設定する。
【００１１】
【発明の実施の形態】
以下に、本発明の実施例について図面を参照して説明する。図１は本発明によるネットワーク電話機を含むシステムの実施例の構成を示すブロック図であり、図２，３と同等部分は同一符号にて示している。図１において、本発明によるネットワーク（ＩＰ）電話機１〜ｎは、ネットワーク（ＬＡＮ伝送路）３０を介して、ＩＰ−ＰＢＸ（構内電話交換機）１０、パーソナルコンピュータ（パソコン装置）３１、情報の経路設定を行うルータ３２等と接続されている。
【００１２】
また、ＩＰ−ＰＢＸ１０は、ＩＰ電話機１〜ｎを制御する制御部１１、ＬＡＮ伝送路３０との通信を行うＬＡＮインタフェース部１２にて構成される。さらに、本発明によるＩＰ電話機１〜ｎはそれぞれ、ＩＰ−ＰＢＸ１０の指示によりＩＰ電話機１〜ｎを制御する制御部２３、制御部２３の制御プログラムや制御データ等を格納するメモリー２６、ボタン等の制御を行う操作部２４を含む。
【００１３】
また、ＬＣＤ（液晶表示器）やＬＥＤ（発光ダイオード）等の表示制御を行う表示部２５、音声等の制御を行う音声制御部２２、ＬＡＮ伝送路３０との通信を行うＬＡＮインタフェース部２１を含んで構成される。
【００１４】
図２に、本発明によるＩＰ電話機１〜ｎの音声制御部２２の構成を示す。図２において、音声制御部２２は、ＩＰ電話機１〜ｎの内部音源であるＤＴＭＦ／トーン（プッシュホンダイアルトーン）音源部４０、音声経路を切り替えるスイッチＳＷ１，ＳＷ２、エコーをキャンセルするエコーキャンセラ４１を含む。また、ＤＴＭＦ／トーン音源部４０、ディジタル／アナログ変換を行うＤ／Ａ（変換器）４４、アナログ／ディジタル変換を行うＡ／Ｄ（変換器）４３、ハンドセット４２、加算器４５を含んで構成される。
【００１５】
本発明の実施例の動作を図３に示すフローチャートにより説明する。図３において、本発明によるＩＰ電話機１〜ｎの制御部２３は、ＩＰ−ＰＢＸ１０の指示により、ハンドセット通話開始（オフフック；呼発生）を通知されると（ステップＳ１）、エコーキャンセラ４１を介してエコーキャンセル学習を開始する。まず、制御部２３は、エコーキャンセル学習に使用するＤＴＭＦ／トーン音源部４０とハンドセット受話音声経路ａとを接続するために、スイッチＳＷ１を短絡する。また、それと同時に、エコーキャンセル学習中に発生する音がハンドセット４２から漏れることのないように、スイッチＳＷ２を解放する（ステップＳ２）。
【００１６】
次に、制御部２３は、ＤＴＭＦ／トーン音源部４０を使用して、ＤＴＭＦ／トーンを２００ｍｓｅｃ間鳴動させる（ステップＳ３）。エコーキャンセラ４１は、このＤＴＭＦ／トーンを用いてエコーキャンセル学習を行い、最適な通話が可能となるエコーキャンセリングを設定する。なお、このエコーキャンセルの学習方法については、周知の方法を使用可能であり、ここでは述べない。
【００１７】
エコーキャンセル学習が終了すると（ステップＳ４がＹＥＳ）、制御部２３は、スイッチＳＷ１を解放し、ＤＴＭＦ／トーン音源部４０とハンドセット受話音声経路４７の接続を断つと同時に、スイッチＳＷ２を短絡し、ハンドセット４２とハンドセット受話音声経路ａとの接続を復元する（ステップＳ５）。エコーキャンセル学習が終了しない場合は（ステップＳ４がＮＯ）、ステップＳ３に戻る。ハンドセット４２とハンドセット受話音声経路ａとの接続が復元した場合は、ハンドセット４２による通話が開始される（ステップＳ６）。
【００１８】
以上のＩＰ電話機１〜ｎのエコーキャンセル学習開始から、スイッチＳＷ１，ＳＷ２制御による音声経路復元までの一連の動作は、ＩＰ−ＰＢＸ１０よりハンドセット通話開始を指示された直後、極く短時間にて終了する。すなわち、ＩＰ電話機１〜ｎのハンドセット４２をオフフック（あるいは呼の到着）した直後、極く短時間にてエコーキャンセル学習は終了するため、ＩＰ電話機１〜ｎのユーザは、通話相手へ通話開始時からエコーの少ない安定した送話を提供することができる。
【００１９】
なお、上記実施例においては、ＩＰ電話機について述べているが、これに限定されることなく、エコーキャンセル機能を有する電話機であれば、同様に適用可能である。
【００２０】
【発明の効果】
以上説明したように、本発明によれば、ＩＰ電話機のハンドセット通話において、通話相手に発生するエコーを軽減させることができるという効果がある。すなわち、通話を開始する前にエコーキャンセル学習を行うことによって、エコーを効果的にキャンセルすることができるためである。
【００２１】
また、本発明によれば、ＩＰ電話機のハンドセット通話において、通話開始時から安定した最適な通話を提供することができるという効果がある。すなわち、エコーキャンセル学習にＩＰ電話機の内部音源を使用することによって、オフフック直後に短時間にてエコーキャンセル学習を行うことができ、ハンドセットによる通話を開始する前に、エコーキャンセル学習を終えるためである。
【００２２】
さらに、ＩＰ電話機のハンドセット通話時におけるエコーキャンセル学習において、学習中に発生する音の外部への漏れを防ぐことができるという効果がある。すなわち、エコーキャンセル学習を行う際に、スイッチ制御を行うことによって音声経路を切り替えることができるためである。
【図面の簡単な説明】
【図１】本発明の実施例のブロック図である。
【図２】本発明によるネットワーク電話機の音声制御部のブロック図である。
【図３】本発明の実施例のフローチャートである。
【符号の説明】
１〜ｎ　ＩＰ電話機
１０　ＩＰ−ＰＢＸ
１１，２３　制御部
１２，２１　ＬＡＮインタフェース部
２２　音声制御部
２４　操作部
２５　表示部
２６　メモリー
３０　ＬＡＮ伝送路
３１　パソコン装置
３２　ルータ
【図１】
2004032457.tif 000003
【図２】
2004032457.tif 000004
【図３】
2004032457.tif 000005